(57)【要約】      （修正有）【課題】悪意の制御がされているという特殊な状況で確実にワイヤレス制御を不可能にすることができ、それ以外の状況で誤ってワイヤレス制御を不可能にしてしまうという誤操作の可能性を低減したスイッチ装置及び負荷制御システムを提供する。【解決手段】造営材に配設され、負荷を制御するスイッチ装置は、負荷を制御するためにユーザが操作をする第１ハンドル１５及び第２ハンドル１６と、負荷を制御するためのワイヤレス信号を受信するワイヤレス通信モジュールと、第１ハンドル１５や第２ハンドル１６にて受けた操作に基づいて負荷を制御し、かつ、ワイヤレス通信モジュールにて受信したワイヤレス信号に基づいて負荷を制御する制御モジュールと、を有するコントローラ２０とワイヤレス信号に基づく負荷の制御を不可能にするためにユーザが操作をする通信遮断スイッチ１２とを備えている。【選択図】図４
2019061852.tif 000002
【特許請求の範囲】
【請求項１】
造営材に配設され、負荷を制御するスイッチ装置であって、
前記負荷を制御するためにユーザが操作をする第１の操作部材と、
前記負荷を制御するためのワイヤレス信号を受信する受信手段と、
前記第１の操作部材にて受けた前記操作に基づいて前記負荷を制御し、かつ、前記受信手段にて受信した前記ワイヤレス信号に基づいて前記負荷を制御する制御手段と、
前記ワイヤレス信号に基づく前記負荷の制御を不可能にするためにユーザが操作をする第２の操作部材と、
を備えたスイッチ装置。
【請求項２】
前記第２の操作部材は、前記第１の操作部材又は他の表面部材を取り外すことによって露出して、前記ワイヤレス信号に基づく前記負荷の制御を不可能にするためのユーザによる操作が可能となる、請求項１に記載のスイッチ装置。
【請求項３】
前記第２の操作部材は、前記第１の操作部材又は他の表面部材の裏側に配設され、前記第１の操作部材に対する操作によっては操作されない、請求項１又は２に記載のスイッチ装置。
【請求項４】
前記第２の操作部材は、前記受信手段に対する給電を遮断するスイッチである、請求項１〜３のいずれかに記載のスイッチ装置。
【請求項５】
前記第１の操作部材及び前記第２の操作部材を含み、前記造営材に取り付けられる外部スイッチと、
前記受信手段及び前記制御手段を含み、前記外部スイッチ及び前記負荷に接続されるコントローラと、
を備え、
前記コントローラは、前記第２の操作部材に対する操作に応じて、前記受信手段による前記ワイヤレス信号の受信、又は前記制御手段による前記負荷の制御を禁止する、
請求項１〜３のいずれかに記載のスイッチ装置。
【請求項６】
請求項１〜５のいずれかに記載のスイッチ装置と、
前記負荷と、
前記負荷を制御するためのワイヤレス信号を送信する指示装置と、
を備え、
前記受信手段は、前記指示装置から送信されたワイヤレス信号を受信する、負荷制御システム。
【発明の詳細な説明】
【技術分野】
【０００１】
本発明は、負荷を制御するためのスイッチ装置、及びそれを含む負荷制御システムに関する。
【背景技術】
【０００２】
住宅内の機器は、それを制御するための指示装置からの指示に従って制御される。指示装置として、ワイヤレス通信によって指示を送信するものも知られている。このような指示装置としては、例えば、ユーザによって操作され、その操作に応じた指示をワイヤレス送信するリモートコントローラがあり、昨今はホームオートメーションを実現するために、住宅内の機器を制御するコンピュータやセンサを指示装置として、当該指示装置から指示がワイヤレス送信されることもある。
【０００３】
ワイヤレス送信された指示を受けて機器を制御するためのコントローラも知られている。コントローラは、指示装置とワイヤレス通信可能であるとともに、ユーザが手動操作によって機器を制御するための操作装置（例えば、スイッチ装置）とも接続される。これによって、コントローラは、指示装置からワイヤレス通信で受けた指示に応じてスイッチ装置を介して機器を制御することができる。
【０００４】
このように、ワイヤレス通信で受けた指示に応じてスイッチ装置を介して機器を制御するシステムでは、悪意のある第三者によって住宅の外部からワイヤレス信号が送信され、それによって機器が制御されること、即ち、「なりすまし」ないし「乗っ取り」によって住宅内の機器が制御されること（以下、「悪意の制御」という。）を防ぐ必要がある。
【０００５】
特許文献１には、送信手段からのワイヤレス信号による負荷制御を禁止する禁止モードを備えたスイッチ装置が開示されている。このスイッチ装置は、操作スイッチと、ワイヤレス信号を受信するワイヤレス信号受信部と、操作スイッチから出力される操作信号又はワイヤレス信号受信部で受信したワイヤレス信号に応じて照明負荷への給電をオン／オフする制御部及び負荷制御部を備えている。制御部は、操作スイッチが長押しされると、ワイヤレス信号による負荷制御を禁止する。これにより、蛍光灯の交換時や清掃時にワイヤレス信号によって意図せずしてオン／オフが切り替わることを防止できる。
【０００６】
また、特許文献２は負荷制御スイッチを開示しており、負荷制御スイッチは、人感センサからワイヤレス信号を受信するワイヤレス信号受信部と、照明負荷をオン／オフするための操作をするスイッチ入力部と、電源から照明負荷への給電を開閉する負荷開閉部と、ワイヤレス信号受信部がオン信号を受信すると所定時間だけ負荷開閉部をオンさせるとともに、スイッチ入力部から操作信号が入力されるごとに負荷開閉部のオン／オフ状態を反転させる制御部とを備える。制御部は、スイッチ入力部に対する操作に応じて負荷開閉部をオンからオフに反転させた時点から所定時間はワイヤレス信号による制御を無効にする。これにより、手動でオフにした後に直ちに人感センサが反応してオンになってしまうことを防ぐことができる。
【先行技術文献】
【特許文献】
【０００７】
【特許文献１】特開２０１０−１９８９８１号公報
【特許文献２】特開２００８−２３５０１６号公報
【発明の概要】
【発明が解決しようとする課題】
【０００８】
特許文献１に記載の技術を用いることで、悪意の制御が行われた場合に、ワイヤレス信号による負荷制御（以下、「ワイヤレス制御」ともいう。）を不可能にできる。また、特許文献２に記載の技術によっても、ワイヤレス信号受信部がオン信号を受信した後の所定時間だけは、ワイヤレス制御が無効になり、悪意の制御を防止できる。
【０００９】
しかしながら、特許文献１及び特許文献２の技術では、負荷を制御するための操作部材（即ち、特許文献１の操作スイッチ、特許文献２のスイッチ入力部）に対する操作によって、ワイヤレス制御を不可能にしている。したがって、ユーザが負荷の制御をするために操作部材を操作した場合に、操作を誤ってワイヤレス制御を不可能にしてしまうことがあり得る。
【００１０】
そこで、本発明は、悪意の制御がされているという特殊な状況で確実にワイヤレス制御を不可能にすることができ、それ以外の状況で誤ってワイヤレス制御を不可能にしてしまうという誤操作の可能性を低減したスイッチ装置及び負荷制御システムを提供することを目的とする。
【課題を解決するための手段】
【００１１】
本発明の一態様のスイッチ装置は、造営材に配設され、負荷を制御するスイッチ装置であって、前記負荷を制御するためにユーザが操作をする第１の操作部材と、前記負荷を制御するためのワイヤレス信号を受信する受信手段と、前記第１の操作部材にて受けた前記操作に基づいて前記負荷を制御し、かつ、前記受信手段にて受信した前記ワイヤレス信号に基づいて前記負荷を制御する制御手段と、前記ワイヤレス信号に基づく前記負荷の制御を不可能にするためにユーザが操作をする第２の操作部材とを備えた構成を有している。
【００１２】
この構成により、悪意の制御が行われる場合には、第２の操作部材を操作することで負荷に対するワイヤレス制御を不可能にすることができるとともに、そのような第２の操作部材を通常時に負荷を制御するための第１の操作部材とは別の部材としているので、通常時に負荷を制御するために第１の操作部材を操作した際に誤ってワイヤレス制御を不可能にしてしまうことを防止できる。
【００１３】
前記第２の操作部材は、前記第１の操作部材又は他の表面部材を取り外すことによって露出して、前記ワイヤレス信号に基づく前記負荷の制御を不可能にするためのユーザによる操作が可能となるものであってよい。
【００１４】
この構成により、第１の操作部材又は他の表面部材を取り外すという特殊な操作をしない場合には（即ち、通常の使用状態では）、第２の操作部材を操作することができず、誤操作をより確実に防止できる。
【００１５】
前記第２の操作部材は、前記第１の操作部材又は他の表面部材の裏側に配設され、前記第１の操作部材に対する操作によっては操作されないものであってよい。
【００１６】
この構成により、第２の操作部材は、第１の操作部材又は他の表面部材を開けることで操作可能になり、通常の使用状態では第１の操作部材を操作しても第２の操作部材は操作されず、誤操作をより確実に防止できる。
【００１７】
前記第２の操作部材は、前記受信手段に対する給電を遮断するスイッチであってよい。
【００１８】
この構成により、第２の操作部材が操作されることで、受信手段への給電が遮断され、受信手段が作動しなくなるので、それによって、負荷に対するワイヤレス制御を不可能にすることができる。
【００１９】
前記スイッチ装置は、前記造営材に取り付けられる外部スイッチと、前記外部スイッチ及び前記負荷に接続されるコントローラとを備えていてよい。前記第１の操作部材及び前記第２の操作部材は前記外部スイッチに備えられてよく、前記受信手段及び前記制御手段は前記コントローラに備えられてよい。前記コントローラは、前記第２の操作部材に対する操作に応じて、前記受信手段による前記ワイヤレス信号の受信、又は前記制御手段による前記負荷の制御を禁止してよい。
【００２０】
この構成によって、第２の操作部材が操作されることで、受信手段によるワイヤレス信号の受信、又は制御手段による負荷の制御が禁止され、それによって、負荷に対するワイヤレス制御を不可能にすることができる。
【００２１】
本発明の一態様の負荷制御システムは、上記のスイッチ装置と、前記負荷と、前記負荷を制御するためのワイヤレス信号を送信する指示装置とを備え、前記受信手段は、前記指示装置から送信されたワイヤレス信号を受信する構成を有している。
【００２２】
この構成により、悪意の制御が行われる場合には、第２の操作部材を操作することで負荷に対するワイヤレス制御を不可能にすることができるとともに、そのような第２の操作部材を通常時に負荷を制御するための第１の操作部材とは別の部材としているので、通常時に負荷を制御するために第１の操作部材を操作した際に誤ってワイヤレス制御を不可能にしてしまうことを防止できる。
【発明の効果】
【００２３】
本発明によれば、悪意の制御が行われる場合には、第２の操作部材を操作することで負荷に対するワイヤレス制御を不可能にすることができるとともに、そのような第２の操作部材を通常時に負荷を制御するための第１の操作部材とは別の部材としているので、通常時に負荷を制御するために第１の操作部材を操作しても誤ってワイヤレス制御を不可能にしてしまうことがないという効果が得られる。
【図面の簡単な説明】
【００２４】
【図１】本発明の実施の形態の負荷制御システムの回路図
【図２】本発明の実施の形態のスイッチ装置の正面図
【図３】本発明の実施の形態のスイッチ装置の側面図
【図４】本発明の実施の形態のスイッチ装置の分解斜視図
【図５】本発明の実施の形態の図２のＡ−Ａ断面図
【図６】本発明の実施の形態のハンドルの取り付けを説明する斜視図
【図７】本発明の実施の形態のハンドルの取り付けを説明する斜視図
【図８】本発明の実施の形態のハンドルの取り外しを説明する斜視図
【図９】本発明の実施の形態のハンドルの取り外しを説明する斜視図
【発明を実施するための形態】
【００２５】
以下、図面を参照して本発明の実施の形態を説明する。なお、以下に説明する実施の形態は、本発明を実施する場合の一例を示すものであって、本発明を以下に説明する具体的構成に限定するものではない。本発明の実施にあたっては、実施の形態に応じた具体的構成が適宜採用されてよい。
【００２６】
図１は、本発明の実施の形態の負荷制御システムの回路図である。図１に示すように、本発明の実施の形態の負荷制御システム１００は、スイッチ装置１と指示装置２と負荷３と備え、スイッチ装置１によって負荷３を制御する。負荷３は、調光器（例えば、ＬＥＤ電球、白熱灯、照明器具）、カーテンやシェード等の遮光物の駆動機器、その他の住宅内で用いる機器である。
【００２７】
スイッチ装置１は、住宅の壁等の造営材に、ハンドルを露出させて埋め込まれる。スイッチ装置１は負荷３に接続されており、ハンドルを操作することで負荷３の制御をすることができる。負荷３の制御には、負荷３のＯＮ／ＯＦＦの制御が含まれ、負荷３が調光器である場合には、その光量（照度）や色の調整が含まれ、負荷３が駆動機器である場合は、駆動量（カーテンやシェードの開度）の調整が含まれる。
【００２８】
スイッチ装置１と指示装置２は、いずれも図示しないワイヤレス通信モジュールを備えており、互いにワイヤレス通信が可能である。スイッチ装置１と指示装置２との間のワイヤレス通信には、各種の通信方式を採用することができる。本実施の形態では、スイッチ装置１と指示装置２とはＺ−Ｗａｖｅ（登録商標）のワイヤレス通信を行う。
【００２９】
指示装置２は、住宅内に設置され、スイッチ装置１に対して負荷３の制御に関する指示をする。指示装置２は、例えば、ホームコントロールＯＳを搭載したコンピュータ、住宅内のユーザが負荷３を制御するために操作するリモートコントローラ、あるいは、人感センサを含む各種のセンサであってよい。すなわち、指示装置２におけるスイッチ装置１への指示は、ホームコントロールＯＳ等のソフトウェアが行ってもよいし、ユーザの操作に従って行ってもよいし、センサの検出値に従って行ってもよい。本実施の形態では、指示装置２は、ＡＩ（人工知能）を搭載したホームコントローラＯＳであり、ＡＩの判断によって指示装置２からスイッチ装置１に対して負荷３の制御に関する指示をする。
【００３０】
スイッチ装置１は、外部スイッチ１０とコントローラ２０とからなる。外部スイッチ１０は、第１操作スイッチ１１と、通信遮断スイッチ１２と、第２操作スイッチ１３とを備えている。第１操作スイッチ１１及び第２操作スイッチ１３は、常開形（ａ接点）の埋込押釦スイッチであり、通信遮断スイッチ１２は、片切の埋込スイッチである。通信遮断スイッチ１２は、第１操作スイッチ１１と第２操作スイッチ１３との間に配置される。
【００３１】
コントローラ２０は、Ｎ端子２１、Ｓ１端子２２、Ｓ２端子２３、ＮＯ１端子２４、Ｌ端子２５を含む複数の端子を備えている。Ｎ端子２１は、ニュートラル入力端子であり、電源に接続されたニュートラル線５が接続される。Ｓ１端子２２及びＳ２端子２３には、それぞれ第１操作スイッチ１１及び第２操作スイッチ１３が接続される。ＮＯ１端子２４は、ライブ出力端子であり、負荷３に接続される。Ｌ端子２５は、ライブ入力端子であり、通信遮断スイッチ１２が接続される。
【００３２】
第１操作スイッチ１１、通信遮断スイッチ１２、及び第２操作スイッチ１３にはライブ線４が接続され、負荷３にはニュートラル線５が接続される。これにより、Ｓ１端子２２、Ｓ２端子２３、及びＬ端子２５は、それぞれ第１操作スイッチ１１、通信遮断スイッチ１２、及び第２操作スイッチ１３を介してライブ線４に接続される。また、ＮＯ１端子２４は、負荷３を介してニュートラル線５に接続される。
【００３３】
コントローラ２０は、ワイヤレス通信モジュール２６と、制御モジュール２７とを備えている。ワイヤレス通信モジュール２６は、ワイヤレス通信機能を有し、指示装置２から送信されてくる指示のワイヤレス信号を受信する。ワイヤレス通信モジュール２６は、ライブ線４から通信遮断スイッチ１２及びＬ端子２５を介して給電されて作動する。このワイヤレス通信モジュール２６は、本発明の「受信手段」に相当する。
【００３４】
また、制御モジュール２７は、ライブ線４から第１操作スイッチ１１及び第２操作スイッチ１３を介してそれぞれＳ１端子２２及びＳ２端子２３に与えられる入力に応じて、負荷３を制御するための制御信号を、ＮＯ１端子２４を出力端子として負荷３に出力する。制御モジュール２７は、例えば、負荷３がＬＥＤ照明である場合には、Ｓ１端子２２への入力に応じて、照明の強度を調整する制御信号を出力し、Ｓ２端子２３への入力に応じて、照明の色合いを調整する制御信号を出力する。
【００３５】
また、制御モジュール２７は、ワイヤレス通信モジュール２６にて受信したワイヤレス信号、即ち指示装置２からの指示に基づいて、負荷３を制御するための制御信号を出力する。これにより、スイッチ装置１は、負荷３のワイヤレス制御を可能とし、負荷３は指示装置によってワイヤレス制御される。この制御モジュール２７は、本発明の「制御手段」に相当する。
【００３６】
図２は、本発明の実施の形態のスイッチ装置の正面図であり、図３は、本発明の実施の形態のスイッチ装置の側面図であり、図４は、本発明の実施の形態のスイッチ装置の分解斜視図である。上述のように、スイッチ装置１は、ユーザが負荷３を制御するための操作を行う外部スイッチ１０と、ワイヤレス信号に従って負荷３を制御するコントローラ２０とを備えている。
【００３７】
図４に示すように、外部スイッチ１０は、壁等の造営材に取り付けられて、第１操作スイッチ１１、通信遮断スイッチ１２、及び第２操作スイッチ１３（以下、これらを総称して「スイッチ本体」ともいう。）を枠内に保持する取付枠１４と、第１操作スイッチ１１の一端に支持されて第１操作スイッチ１１の押釦１１１ａを押下可能な第１ハンドル１５と、第２操作スイッチ１３の一端に支持されて第２操作スイッチ１３の押釦１３１ａを押下可能な第２ハンドル１６と、第１ハンドル１５及び第２ハンドル１６の周りを囲み、取付枠１４に固定されるプレート枠１７と、第１ハンドル１５及び第２ハンドル１６を露出させてプレート枠１７の上から被せられる化粧プレート１８とを備えている。
【００３８】
図３に示すように、スイッチ本体１１〜１３は、取付枠１４から裏側（化粧プレート１８とは反対側）に向けて突出している。壁には、このように裏側に突出したスイッチ本体１１〜１３を収容し、かつ、スイッチ本体１１〜１３に接続されるコントローラ２０をも収容するように、収容凹部１９が形成されている。
【００３９】
図５は、図２のＡ−Ａ断面図であり、図６は、本発明の実施の形態のハンドルの取り付けを説明する斜視図であり、図７は、本発明の実施の形態のハンドルの取り付けを説明する斜視図である。図６に示すように、スイッチ本体１１〜１３は、いずれも同一の形状を有している。
【００４０】
第１操作スイッチ１１は、正面の右寄りに押釦１１１を備え、左端に２つのスイッチ本体突起部１１２ａ、１１２ｂを備えており、通信遮断スイッチ１２は、正面の右寄りに押釦１２１を備え、左端に２つのスイッチ本体突起部１２２ａ、１２２ｂを備えており、第２操作スイッチ１３は、正面の右寄りに押釦１３１を備え、左端に２つのスイッチ本体突起部１３２ａ、１３２ｂを備えている。
【００４１】
押釦１１１、１２１、１３１の表面には、それぞれ若干隆起をした隆起部１１１ａ、１２１ａ、１３１ａが形成されている。隆起部１１１ａ、１２１ａ、１３１ａはそれぞれ縦方向に延びている。
【００４２】
第１ハンドル１５及び第２ハンドル１６は、同一の形状を有している。第１ハンドル１５は、左端にスイッチ本体突起部１１２ａ、１１２ｂが挿入される２つのハンドル凹部１５１ａ、１５１ｂを備え、右端に取付枠１４に係止する２つのハンドルフック１５２ａ、１５２ｂを備えており、第２ハンドル１６は、左端にスイッチ本体突起部１３２ａ、１３２ｂが挿入される２つのハンドル凹部１６１ａ、１６１ｂを備え、右端に取付枠１４に係止する２つのハンドルフック１６２ａ、１６２ｂを備えている。
【００４３】
図６、７に示すように、第１ハンドル１５を取り付ける際には、ハンドル凹部１５１ａ、１５１ｂをそれぞれ第１操作スイッチ１１のスイッチ本体突起部１１２ａ、１１２ｂに挿入して互いに係合させ、ハンドルフック１５２ａ、１５２ｂを取付枠１４に係止させる。これにより、第１ハンドル１５は、ハンドル凹部１５１ａ、１５１ｂとスイッチ本体突起部１１２ａ、１１２ｂとの係合部を支点として、回動可能となるとともに、ハンドルフック１５２ａ、１５２ｂによって開いてしまうことが防止される。
【００４４】
第２ハンドル１６を取り付ける際にも同様にして、ハンドル凹部１６１ａ、１６１ｂをそれぞれ第２操作スイッチ１３のスイッチ本体突起部１３２ａ、１３２ｂに挿入して互いに係合させ、ハンドルフック１６２ａ、１６２ｂを取付枠１４に係止させる。これにより、第２ハンドル１６は、ハンドル凹部１６１ａ、１６１ｂとスイッチ本体突起部１３２ａ、１３２ｂとの係合部を支点として、回動可能となるとともに、ハンドルフック１６２ａ、１６２ｂによって開いてしまうことが防止される。
【００４５】
第１ハンドル１５の裏面には、押釦１１１ａに対応する位置に、横方向に延びる２つの押下突起１５３ａ、１５３ｂが形成されている。押下突起１５３ａ、１５３ｂは、第１ハンドル１５が押し下げられることで、縦方向に延びるスイッチ本体突起部１１２ａ、１１２ｂと交差して接触する。また、第２ハンドル１６の裏面にも、押釦１３１ａに対応する位置に、横方向に延びる２つの押下突起１６３ａ、１６３ｂが形成されている。押下突起１６３ａ、１６３ｂは、第２ハンドル１６が押し下げられることで、縦方向に延びるスイッチ本体突起部１３２ａ、１３２ｂと交差して接触する。
【００４６】
外部スイッチ１０が組み立てられて壁に配設されると、化粧プレート１３及び化粧プレート１３の枠内に配置される第１ハンドル１５及び第２ハンドル１６が壁から露出し、室内のユーザは、第１ハンドル１５及び第２ハンドル１６に対して押下操作を行うことが可能となる。
【００４７】
通信遮断スイッチ１２は、第１操作スイッチ１１と第２操作スイッチ１３との間に配設される。第１操作スイッチ１１を操作するための第１ハンドル１５と第２操作スイッチ１３を操作するための第２ハンドル１６は、互いに実質的な間隔を開けずに上下方向に隣接して設けられる。この結果、通信遮断スイッチ１２の上半分は第１ハンドル１５に覆われて、第１ハンドル１５の裏側に位置し、通信遮断スイッチ１２の下半分は第２ハンドル１６に覆われて、第２ハンドル１６の裏側に位置する。
【００４８】
そして、第１ハンドル１５が押下操作されても、第２ハンドル１６が押下操作されても、それらによって通信遮断スイッチ１２の押釦１２１ａが押し下げられることはない。換言すれば、通信遮断スイッチ１２は、外部スイッチ１０が組み立てられた状態では、第１ハンドル１５及び第２ハンドル１６によって操作されることはなく、通信遮断スイッチ１２は、第１ハンドル１５及び第２ハンドル１６を取り外すことによってはじめて操作が可能となる。よって、第１ハンドル１５又は第２ハンドル１６の誤操作によって、通信遮断スイッチ１２が操作されることはない。
【００４９】
以上のように、通信遮断スイッチ１２は、ハンドルによって操作されることはなく、ワイヤレス信号に基づく負荷３の制御を不可能とするためにユーザが直接操作する部材であり、本発明の「第２の操作部材」に相当する。一方、第１ハンドル１５及び第２ハンドル１６は、負荷３を制御するためにユーザが操作をする部材であり、本発明の「第１の操作部材」に相当する。
【００５０】
図８及び図９は、本発明の実施の形態のハンドルの取り外しを説明する斜視図である。上述のように、通信遮断スイッチ１２に対して押下操作をするためには、第１ハンドル１５及び第２ハンドル１６を取り外す必要がある。第１ハンドル１５及び第２ハンドル１６を取り外すためには、まず、化粧プレート１８とプレート枠１７との隙間にマイナスドライバ等の工具を差し込み、プレート枠１７から化粧プレート１８を取り外す。
【００５１】
化粧プレート１８を取り外すと、図９に示すように、第１ハンドル１５及び第２ハンドル１６のハンドルフック側に若干の隙間が露出するので、この隙間に工具又は指を挿入して、取付枠１４に係止している第１ハンドル１５のハンドルフック１５２ａ、１５２ｂを取付枠１４から外し、さらに、ハンドル凹部１５１ａ、１５１ｂをスイッチ本体突起部１１２ａ、１１２ｂから取り外すことで、第１ハンドル１５を取り外すことができる。
【００５２】
また、第２ハンドル１６についても同様に、取付枠１４に係止しているハンドルフック１６２ａ、１６２ｂを取付枠１４から外し、ハンドル凹部１６１ａ、１６１ｂをスイッチ本体突起１３１ａ、１３１ｂから取り外すことで、第２ハンドル１６を取り外すことができる。なお、取付枠１４やプレート枠１７については、造営材に固定されたままでよく、当然ながら本体スイッチ１１〜１３も造営材に固定されたままでよい。
【００５３】
このように、第１ハンドル１５及び第２ハンドル１６を取り外すと、第１操作スイッチ１１及び第２操作スイッチ１３とともに通信遮断スイッチ１２が露出する。ユーザは、この状態で通信遮断スイッチ１２を操作することができ、ワイヤレス通信の機能をオフにすることができる。
【００５４】
以上のように、本実施の形態の負荷制御システム１００ないしスイッチ装置１によれば、負荷３を制御するためにワイヤレス送信されてきた指示を受信する機能を有するとともに、悪意の制御がされる状況では、通信遮断スイッチ１２を操作することで、ワイヤレス信号に基づく負荷３の制御を不可能にする。
【００５５】
このとき、通信遮断スイッチ１２が、通常時（悪意の制御が行われていないとき）に負荷３を制御するための第１操作スイッチ１１や第２操作スイッチ１３とは別のスイッチとして設けられており、第１操作スイッチ１１を操作するための第１ハンドル１５や第２操作スイッチ１３を操作するための第２ハンドル１６を操作しても、通信遮断スイッチ１２は操作されない。よって、通常時に負荷３を制御しようとして第１ハンドル１５や第２ハンドル１６を操作する際に、誤ってワイヤレス信号に基づく負荷３の制御を不可能にしてしまうことを有効に防止できる。
【００５６】
また、本実施の形態では、通信遮断スイッチ１２が、通常の使用状態では操作されないように、第１ハンドル１５及び第２ハンドル１６の裏側に設けられており、第１ハンドル１５及び第２ハンドル１６を取り外すことによってはじめて操作が可能となるので、誤操作をより確実に防ぐことができる。
【００５７】
なお、上記の実施の形態では、外部スイッチ１０が第１ハンドル１５と第２ハンドル１６の２つのハンドルを備えた構成としたが、ハンドルは１つまたは３つ以上であってもよい。これらの場合にも、負荷３を制御するために操作するハンドルによって通信遮断スイッチ１２が操作されないようにすることで、上記の実施の形態と同様に誤操作を防止できる。
【００５８】
また、上記の実施の形態では、通信遮断スイッチ１２は、第１ハンドル１５及び第２ハンドル１６の裏側に設けられ、第１ハンドル１５及び第２ハンドル１６を取り外すことで操作可能であったが、第１ハンドル１５及び第２ハンドル１６がハンドル凹部１５１ａ、１５１ｂ及びハンドル凹部１６１ａ、１６１ｂでヒンジ結合をしており、そこを起点として回動させて第１ハンドル１５及び第２ハンドル１６を開けることで、第１ハンドル１５及び第２ハンドル１６を取り外すことなく、通信遮断スイッチ１２を露出させる構成としてもよい。
【００５９】
また、通信遮断スイッチ１２は、第１ハンドル１５及び第２ハンドル１６を開けることなく操作可能な位置に配設されてもよい。例えば、第１ハンドル１５及び第２ハンドル１６を本実施の形態のものより小さく形成して、第１ハンドル１５と第２ハンドル１６とは別に、通信遮断スイッチ１２を操作するための第３ハンドルを設けてもよい。この場合、第３ハンドルは、本発明の「第２操作部材」に相当する。このような構成によっても、負荷３を制御するための第１ハンドル１５及び第２ハンドル１６を操作している限りは、誤ってワイヤレス通信を遮断してしまうことは防止される。
【００６０】
また、上記の実施の形態では、通信遮断スイッチ１２は、コントローラ２０のワイヤレス通信モジュール２６に対する給電経路を物理的に断つスイッチであり、即ち、コントローラ２０のワイヤレス通信モジュール２６に対する給電を遮断することで、ワイヤレス信号に基づく負荷３の制御を不可能にしていたが、これに代えて、以下のように、コントローラ２０の動作によって、ワイヤレス制御を不可能にしてもよい。
【００６１】
例えば、コントローラ２０は、通信遮断スイッチ１２の操作に応じて、ワイヤレス通信モジュール２６にワイヤレス信号の受信を禁止させてもよい。また、コントローラ２０は、通信遮断スイッチ１２の操作に応じて、制御モジュール２７にワイヤレス信号に基づく制御信号の出力を禁止させてもよい。このようなコントローラ２０の動作をソフトウェアで実現してもよい。あるいは、コントローラ２０は、通信遮断スイッチ１２の操作に応じて、ワイヤレス通信モジュール２６と制御モジュール２７との間を物理的に切断して、ワイヤレス通信モジュール２６で受信した指示が制御モジュール２７に渡らないようにしてもよい。
【００６２】
また、上記の実施の形態では、通信遮断スイッチ１２が第１ハンドル１５及び第２ハンドル１６の裏側に設けられて、第１ハンドル１５及び第２ハンドル１６を取り外すことで操作が可能であったが、これに代えて、通信遮断スイッチ１２は、第１ハンドル１５及び第２ハンドル１６以外の表面部材の裏側に設けられて、表面部材を取り外すことで操作可能とされてもよい。
【００６３】
ここで、表面部材とは、スイッチ装置１を構成する部材のうちの造営材から表面に露出している部材をいい、上記の実施の形態では、第１ハンドル１５及び第２ハンドル１６に加えて、化粧プレート１８がこれに該当する。すなわち、通信遮断スイッチ１２は、化粧プレート１８が取り外されることで露出するようにプレート枠１７に設けられてもよい。この構成によっても、通常の使用状態、即ち、化粧プレート１８が取り付けられている状態では通信遮断スイッチ１２を操作することができず、誤って通信遮断スイッチ１２を操作してしまうことを防止できる。
【００６４】
なお、上述のように本実施の形態の通信遮断スイッチ１２は、片切の埋込スイッチであり、一度の押下によってワイヤレス制御を行う状態からワイヤレス制御を禁止する状態に移行し、その後再び押下されることでワイヤレス制御を禁止する状態からワイヤレス制御を行う状態に移行する。なお、通信遮断スイッチ１２として採用するスイッチの種類は上記の実施の形態（片切の押込スイッチ）に限らず、種々の態様のスイッチであってよい。
【産業上の利用可能性】
【００６５】
本発明は、悪意の制御がされているという特殊な状況で確実にワイヤレス制御を不可能にすることができるとともに、それ以外の状況で誤ってワイヤレス制御を不可能にしてしまうという誤操作の可能性を低減でき、負荷を制御するためのスイッチ装置等として有用である。
【符号の説明】
【００６６】
１  スイッチ装置
２  指示装置
３  負荷
１０  外部スイッチ
１１  第１操作スイッチ
１２  通信遮断スイッチ
１３  第２操作スイッチ
１４  取付枠
１５  第１ハンドル
１６  第２ハンドル
１７  プレート枠
１８  化粧プレート
１９  収容凹部
２０  コントローラ
２１  Ｎ端子
２２  Ｓ１端子
２３  Ｓ２端子
２４  ＮＯ１端子
２５  Ｌ端子
２６  ワイヤレス通信モジュール
２７  制御モジュール
１００  負荷制御システム
【図１】
2019061852.tif 000003
【図２】
2019061852.tif 000004
【図３】
2019061852.tif 000005
【図４】
2019061852.tif 000006
【図５】
2019061852.tif 000007
【図６】
2019061852.tif 000008
【図７】
2019061852.tif 000009
【図８】
2019061852.tif 000010
【図９】
2019061852.tif 000011
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
造営材に配設され、負荷を制御するスイッチ装置であって、
前記負荷を制御するためにユーザが操作をする第１の操作部材と、
前記負荷を制御するためのワイヤレス信号を受信する受信手段と、
前記第１の操作部材にて受けた前記操作に基づいて前記負荷を制御し、かつ、前記受信手段にて受信した前記ワイヤレス信号に基づいて前記負荷を制御する制御手段と、
前記ワイヤレス信号に基づく前記負荷の制御を不可能にするためにユーザが操作をする第２の操作部材と、
を備え、
前記第２の操作部材は、前記第１の操作部材又は他の表面部材を取り外すことによって露出して、前記ワイヤレス信号に基づく前記負荷の制御を不可能にするためのユーザによる操作が可能となり、前記第１の操作部材又は前記他の表面部材を取り外さない状態では操作不可能である、スイッチ装置。
【請求項２】
前記第２の操作部材は、前記第１の操作部材又は他の表面部材の裏側に配設され、前記第１の操作部材に対する操作によっては操作されない、請求項１に記載のスイッチ装置。
【請求項３】
前記第２の操作部材は、前記受信手段に対する給電を遮断するスイッチである、請求項１又は２に記載のスイッチ装置。
【請求項４】
前記第１の操作部材及び前記第２の操作部材を含み、前記造営材に取り付けられる外部スイッチと、
前記受信手段及び前記制御手段を含み、前記外部スイッチ及び前記負荷に接続されるコントローラと、
を備え、
前記コントローラは、前記第２の操作部材に対する操作に応じて、前記受信手段による前記ワイヤレス信号の受信、又は前記制御手段による前記負荷の制御を禁止する、
請求項１又は２に記載のスイッチ装置。
【請求項５】
請求項１〜４のいずれかに記載のスイッチ装置と、
前記負荷と、
前記負荷を制御するためのワイヤレス信号を送信する指示装置と、
を備え、
前記受信手段は、前記指示装置から送信されたワイヤレス信号を受信する、負荷制御システム。